(57)【要約】  モータ本体を収容したモータハウジングの軸線方向の一端に取り付けフランジが取り付けられた電動モータが提供される。取り付けフランジは、モータハウジングの端部壁に接した状態で配置された主板部と、該主板部からモータハウジングと反対側に突出した円筒状のインロー凸部と、モータ本体の回転軸を外部に導出するためにインロー凸部の内側で主板部を貫通した回転軸導出用開口部と、主板部の外縁からモータハウジング側に突出した側壁部とを備える。取り付けフランジの主板部のインロー凸部と回転軸導出用開口部との間に位置する領域に設定された複数の接合スポットと、フランジの側壁部に設定された２箇所の被固定部のそれぞれに設定された複数の接合スポットとがトックス加締めによりモータハウジングに接合されている。
2020026314.tif 000002
【特許請求の範囲】
【請求項１】
軸線方向の一端が端部壁により閉じられ、軸線方向の他端が外部に開口し得るように構成されたモータハウジングと、前記モータハウジング内に収容されたステータ及びロータを有して前記ロータの回転軸の一端側及び他端側がそれぞれ前記モータハウジングの端部壁に保持された第１の軸受及び前記モータハウジングの軸線方向の他端を閉じる部材に保持された第２の軸受により支持されたモータ本体と、前記モータハウジングの軸線方向の一端に固定された取り付けフランジとを備えた電動モータであって、
前記取り付けフランジは、前記モータハウジングの端部壁に接した状態で配置された主板部と、前記主板部から前記モータハウジングと反対側に突出した状態で設けられて前記回転軸を該回転軸が駆動する負荷の入力軸に対して位置決めするために用いられる円筒状のインロー凸部と、前記インロー凸部の内側で前記主板部を貫通した回転軸導出用開口部と、前記主板部の外縁から前記モータハウジング側に突出した側壁部とを備え、
前記回転軸は、前記回転軸導出用開口部を通して前記インロー凸部の内側に導出され、
前記取り付けフランジの側壁部は、前記モータハウジングの周壁部の外周面に外接し得る内周面を有する被固定部を少なくとも２箇所に有して、該少なくとも２箇所の被固定部の内周面を前記モータハウジングの周壁部の外周面に接触させた状態で配置され、
前記取り付けフランジの主板部の前記インロー凸部と回転軸導出用開口部との間に位置する領域に、第１の接合スポットが前記モータハウジングの周方向に間隔をあけて複数個設定されるとともに、前記取り付けフランジの側壁部の各被固定部に第２の接合スポットが前記モータハウジングの周方向に間隔をあけて複数個設定され、
前記取り付けフランジの各第１の接合スポット及び各第２の接合スポットがそれぞれ前記モータハウジングの端部壁及び周壁部にトックス加締めにより接合されていることを特徴とする電動モータ。
【請求項２】
前記取り付けフランジの主板部の前記インロー凸部の内側に位置する部分と前記モータハウジングの端部壁との間に液体ガスケットが介在していることを特徴とする請求項１に記載の電動モータ。
【請求項３】
前記液体ガスケットは接着性を有していることを特徴とする請求項２に記載の電動モータ。
【請求項４】
前記モータハウジング及び取り付けフランジは、金属製板材の成形加工品からなり、
前記取り付けフランジのインロー凸部の周壁部は、その頂部で板材が折り返されることにより二重構造とされ、
前記取り付けフランジのインロー凸部の周壁部が二重構造とされることにより該インロー凸部の周壁部の内側に形成された隙間が前記液体ガスケットを溜める液溜め部となっている請求項２又は３に記載の電動モータ。
【請求項５】
前記取り付けフランジの主板部は、その外縁が、前記モータハウジングの周壁部の径方向に相対する１対の円弧状部分と、前記１対の円弧状部分の隣り合う端部から前記モータハウジングの周壁部の径方向の外側に突出して前記１対の円弧状部分が相対する方向に対して直角な方向に相対する１対の突出部分とを有する輪郭形状を持つように形成され、
前記取り付けフランジの側壁部の被固定部は、前記主板部の外縁の前記１対の円弧状部分に沿う部分に設定され、
前記取り付けフランジの主板部の外縁の前記１対の突出部分の内側の部分が前記取り付けフランジの一対の耳部となっていて、前記取り付けフランジを負荷に対して固定する締結具を貫通させるための取付け孔が前記耳部に形成されていること、
を特徴とする請求項１ないし４のいずれか一つに記載の電動モータ。
【発明の詳細な説明】
【技術分野】
【０００１】
本発明は、適宜の負荷を駆動するために用いる電動モータに関するものである。
【背景技術】
【０００２】
本発明が適用される電動モータは、ステータとロータとからなるモータ本体と、このモータ本体を収容したモータハウジングとを備えている。この種のモータは、例えば特許文献１に示されている。【０００３】
本発明が適用される電動モータにおいて、ステータは、例えば、内周側に磁極部を有する環状の電機子鉄心と、この電機子鉄心のスロットに巻回された電機子コイルとにより構成される。ロータは、例えば、軸心部に回転軸が取り付けられたロータコアと、ロータコアの外周に取り付けられた偶数個の永久磁石とにより構成される。ロータは、その中心軸線をステータの電機子鉄心の中心軸線に一致させた状態でステータの内側に配置され、永久磁石により構成されたロータ界磁の磁極部が、ステータの磁極部にギャップを介して対向させられる。【０００４】
モータ本体を収容するモータハウジングは、例えば、軸線方向の一端が端部壁により閉じられた円筒状の部材からなっている。モータハウジングの軸線方向の他端は、モータハウジング内へのモータ本体の組み込みを可能にするために外部に開口し得るようになっていて、モータハウジング内にモータ本体を挿入した後に適宜の構成を有する蓋部材により閉じられる。モータハウジングの軸線方向の他端を閉じる蓋部材は、単なる蓋である場合もあり、制御回路を構成する回路基板等を収容する空間を内部に有するフレームを構成する部材である場合もある。モータ本体のロータの回転軸の一端側は、モータハウジングの端部壁の中央部に設けられた軸受保持部に保持された第１の軸受により支持され、当該回転軸の他端側は、モータハウジングの軸線方向の他端を閉じる端部材に保持された第２の軸受により支持される。【０００５】
電動モータを負荷のフレームのモータ取り付け箇所に取り付けるため、モータ本体を収容したモータハウジングの軸線方向の一端側に取り付けフランジが設けられ、該取り付けフランジに、電動モータを負荷のフレームに固定するための締結具（通常はボルト）を貫通させるための取り付け孔が設けられる。【０００６】
取り付けフランジは、モータハウジングの端部壁に接した状態で配置された主板部と、この主板部からモータハウジングと反対側に突出した状態で設けられた円筒状のインロー凸部と、このインロー凸部の内側で主板部を貫通した回転軸導出用開口部と、主板部の外縁からモータハウジング側に突出した側壁部とを備えている。インロー凸部は、電動モータを負荷のフレームに取り付ける際に負荷のフレームに設けられたインロー凹部と嵌合し合って、回転軸を負荷の入力軸に対して位置決めする。
【先行技術文献】
【特許文献】
【０００７】
【特許文献１】特開２０１５−２２７１６１号公報
【発明の概要】
【発明が解決しようとする課題】
【０００８】
本発明が対象とする電動モータは、そのモータハウジングの軸線方向の一端側に配置された取り付けフランジを負荷のフレームに設けられたモータ取り付け箇所に位置決め固定することにより負荷のフレームに取り付けられて、モータの回転軸が負荷の入力軸に結合される。そのため、本発明が対象とするモータにおいては、駆動する負荷のモータ取り付け箇所の仕様が異なる毎に、取り付けフランジの構造や寸法を異ならせる必要がある。【０００９】
ところが、従来のこの種のモータにおいては、モータハウジング及びフランジが鋳造品からなっていて、モータハウジングと取り付けフランジとが一体に成形されていたため、駆動する負荷を変更する際には、取り付けフランジの部分のみを変更すれば済む場合であっても、モータハウジングと取り付けフランジとを含む鋳造品全体を成形し直す必要があった。鋳造品を設計し直すためには、当該鋳造品を成形する高価な金型を設計し直す必要があるため、設計変更に要するコストが高くなるのを避けられなかった。【００１０】
上記の問題を解決するため、モータハウジングと取り付けフランジとを別体として、これらを鋼板等の板材の成形加工品により構成し、モータハウジングの軸線方向の一端に取り付けフランジを適宜の手段により固定する構造にすることが考えられる。このように構成しておけば、例えば負荷側のモータ取り付け部の構成が変更された際には、取り付けフランジの部分の構成のみを変更すればよく、モータハウジングは変更する必要がないため、コストの低減を図ることができる。【００１１】
しかし、モータハウジングと取り付けフランジとを別体に構成しておいて、モータを組み立てる際にモータハウジングに取り付けフランジを固定するようにするためには、モータハウジングと取り付けフランジとを十分な強度を持たせて機械的に結合することを可能にする、信頼性が高い結合構造を確立しておくことが必要である。【００１２】
特に、自動車の電装品に用いる電動モータのように、万一破損すると重大な事故につながるおそれがある用途に用いる電動モータにあっては、モータハウジングと取り付けフランジとの結合部の強度に高い信頼性を持たせておくことが必要とされる。また量産性を高めるためには、モータハウジングに取り付けフランジを取り付ける作業を能率よく行うことができるようにしておく必要がある。【００１３】
別体に構成された取り付けフランジとモータハウジングとを結合する方法として、スポット溶接を採用することが容易に考えられる。しかしながら、取付フランジとモータハウジングとの結合をスポット溶接により行うと、モータハウジング及び取り付けフランジが高温に曝されるため、モータを負荷のフレーム等に取り付ける際に位置決め手段として用いる取付フランジのインロー凸部やモータハウジングの端部壁に設けられた軸受保持部が熱歪みにより変形することがある。インロー凸部やモータハウジングの端部壁に設けられた軸受保持部が変形すると、モータの回転軸と負荷の入力軸との同軸性が保たれなくなるため、モータの取り付けに支障を来すことになる。【００１４】
また取り付けフランジのモータハウジングへの取り付けをスポット溶接により行うと、取り付けフランジとモータハウジングとの間のシールを図る場合に、シール素材が熱により損傷するという問題が生じる。特に車両の電動パワーステアリングに用いる電動モータのように、雨水に曝されることがあるモータの場合には、モータに防水性を持たせるために、取り付けフランジとモータハウジングとの接合部のシールを完全に図ることができるようにしておくことが必要不可欠である。【００１５】
上記の理由により、機械的な信頼性を重視する電動モータにおいて、取り付けフランジとモータハウジングとの接続にスポット溶接を採用することは許容されなかった。スポット溶接に代えて、ボルト等の締結手段により取り付けフランジをモータハウジングに締結することが考えられる。しかしながら、ボルト等の締結手段を用いると、締結手段を貫通させるための多数の貫通孔やネジ孔を取付フランジやモータハウジングの端部壁に加工することが必要になるため、取り付けフランジやモータハウジングの端部壁の機械的強度が低下するおそれがある。【００１６】
本発明の目的は、取り付けフランジ及びモータハウジングの各部の変形や機械的強度の低下を招くことなく、モータハウジングと取り付けフランジとの間の機械的結合を行うことができるようにして、モータハウジングと取り付けフランジとを別体に構成することを可能にした電動モータを提供することにある。【００１７】
本発明の他の目的は、モータの防水性を損なうことなく、モータハウジングと取り付けフランジとを別体に構成することを可能にした電動モータを提供することにある。
【課題を解決するための手段】
【００１８】
本発明は、軸線方向の一端が端部壁により閉じられ、軸線方向の他端が外部に開口し得るように構成されたモータハウジングと、モータハウジング内に収容されたステータ及びロータを有してロータの回転軸の一端側及び他端側がそれぞれモータハウジングの端部壁に保持された第１の軸受及びモータハウジングの軸線方向の他端を閉じる部材に保持された第２の軸受により支持されたモータ本体と、モータハウジングの軸線方向の一端に固定された取り付けフランジとを備えた電動モータを対象とする。【００１９】
本明細書には、前記の目的を達成するために少なくとも下記の第１ないし第５の発明が開示される。
＜第１の発明＞
本発明は下記の構成を有する。
（1.1）取り付けフランジは、モータハウジングの端部壁に接した状態で配置された主板部と、該主板部からモータハウジングと反対側に突出した状態で設けられて回転軸を該回転軸が駆動する負荷の入力軸に対して位置決めするために用いられる円筒状のインロー凸部と、インロー凸部の内側で主板部を貫通した回転軸導出用開口部と、主板部の外縁からモータハウジング側に突出した側壁部とを備えていて、回転軸が回転軸導出用開口部を通してインロー凸部の内側に導出される。
（1.2）取り付けフランジの側壁部は、モータハウジングの周壁部の外周面に外接し得る内周面を有する被固定部を少なくとも２箇所に有して、該少なくとも２箇所の被固定部の内周面が前記モータハウジングの周壁部の外周面に接した状態で配置されている。
（1.3）取り付けフランジの主板部の前記インロー凸部と回転軸導出用開口部との間に位置する領域に、第１の接合スポットがモータハウジングの周方向に間隔をあけて複数個設定されるとともに、取り付けフランジの側壁部の各被固定部に第２の接合スポットがモータハウジングの周方向に間隔をあけて複数個設定されている。
（1.4）取り付けフランジの各第１の接合スポット及び各第２の接合スポットがそれぞれモータハウジングの端部壁及び周壁部にトックス加締めにより接合されている。【００２０】
トックス加締めは、２枚の金属板の接合スポットを雌型（パンチ）と雄型（ダイ）との間に配置して、雄型により当該接合スポットを雌型の型穴内に押し込んで加締めることにより両金属板を接合する周知の接合方法である。この接合方法によれば、雄型により被接続金属板の接合スポットを雌型内に押し込んで加締めを行う過程で雄型側の金属板の一部を雌型側の金属板の一部に食い込ませるように変形させるため、両金属板の接合スポットを強固に接合することができる。またこの接合方法によれば、２枚の金属板の接合箇所を冷間で接合するため、取付フランジの各部が熱により変形させられるのを防ぐことができる。【００２１】
なおこの接合方法の呼称は、この接合方法を実施する金属加工機械について、ＴＯＸの語が商用登録されていることに由来する。この接合は、クリンチング接合と呼ばれることもある。【００２２】
上記のように、ハウジングと取り付けフランジとをトックス加締めにより接合すると、各接合スポットを冷間で強固に接続することができるため、取り付けフランジの各部に熱歪みを生じさせることなく、取り付けフランジとモータハウジングとを強固に接続することができる。【００２３】
また上記のように、取り付けフランジの主板部のインロー凸部と回転軸導出用開口部との間に位置する領域に複数設定した第１の接合スポットと、取り付けフランジの側壁部の各被固定部に複数設定した第２の接合スポットとの双方をトックス加締めにより接合する構造にしておくと、モータの軸線方向に沿って取り付けフランジに作用する外力とモータの径方向に沿って取り付けフランジに作用する外力との双方に対して取り付けフランジの取り付け強度を高めることができるため、モータハウジングに取り付けフランジを一体に設けていた従来のモータと比べて遜色がない機械的強度を取り付けフランジとモータハウジングとの結合部に持たせることができる。【００２４】
本発明によれば、モータハウジングと取り付けフランジを別体として、しかも強度が高い取り付けフランジ付きのモータハウジングを得ることができるため、負荷のモータ取付部の構成が変更された場合に、取り付けフランジの仕様の変更のみを行えばよく、また負荷のモータ取付部の構成はそのままで、負荷が要求するモータの仕様のみが変更された場合には、モータハウジング側の構成のみを変更すれば済むため、モータハウジング及び取り付けフランジの部分の全体を設計し直す場合に比べてコストの低減を図ることができる。【００２５】
＜第２の発明＞
第２の発明は、第１の発明に適用されるもので、本発明においては、取り付けフランジの主板部の前記インロー凸部の内側に位置する部分とモータハウジングの端部壁との間に液体ガスケットが介在している。【００２６】
上記のように、取り付けフランジの主板部のインロー凸部の内側に位置する部分とモータハウジングの端部壁との間に液体ガスケットを介在させておくと、取り付けフランジの主板部のインロー凸部の内側に位置する部分とモータハウジングの端部壁との間を通して雨水などが通過するのを防ぐことができるため、モータに雨水がかかった場合に、その雨水が取り付けフランジの主板部とモータハウジングの端部壁との間を通して回転軸側に侵入するのを防ぐことができ、該雨水などが回転軸を伝わって負荷側に侵入するのを防ぐことができる。【００２７】
取り付けフランジの主板部の前記インロー凸部の内側に位置する部分とモータハウジングの端部壁との間に液体ガスケットを介在させるには、例えば、モータハウジングの端部壁の、取付フランジのインロー凸部の内側に配置される部分に液体ガスケットを塗布してから各接合スポットにトックス加締めを施すようにすればよい。【００２８】
モータハウジングの端部壁の、取付フランジのインロー凸部の内側に配置される部分に液体ガスケットを塗布してから各接合スポットにトックス加締めを施すと、取り付けフランジの主板部とモータハウジングの端部壁との間に介在する液体ガスケットが圧縮されて、取り付けフランジの主板部とモータハウジングの端部壁との間の隙間内に広がり、このガスケットがフランジの主板部とモータハウジングの端部壁との間の隙間を埋めるため、取り付けフランジの主板部とモータハウジングの端部壁との間にシールを形成することができる。【００２９】
このように液体ガスケットを用いて取り付けフランジの主板部とモータハウジングの端部壁との間にシールを形成する場合に、取り付けフランジとモータハウジングとを接合する各接合スポットを溶接により接合したとすると、液体ガスケットが熱により劣化してしまうため、シールを形成することができない。【００３０】
これに対し、本発明では、各接合スポットをトックス加締めにより冷間で接合するため、液体ガスケットを劣化させることなく取り付けフランジをモータハウジングに接続することができる。【００３１】
取り付けフランジとモータハウジングの端部壁との間をネジやリベットなどの締結手段により接続した場合には、締結手段が取り付けフランジの主板部とモータハウジングの端部壁とを貫通するため、その貫通部でシールが破られるおそれがあるが、本発明のように両者を接合した場合には、各接合スポットに貫通部が形成されることがないため、シール性が損なわれることはない。従って、本発明によれば、モータハウジングの端部壁と取り付けフランジとの間の接合部のシールを完全にして、取り付けフランジの主板部とモータハウジングの端部壁との間を通して雨水などが侵入するのを確実に防ぐことができる。【００３２】
＜第３の発明＞
第３の発明は、第２の発明に適用されるもので、本発明においては、液体ガスケットが接着性を有している。【００３３】
液体ガスケットは必ずしも接着性を有している必要はないが、接着性を有する液体ガスケットを用いると、取り付けフランジとモータハウジングとの接合強度を更に高めることができる。【００３４】
＜第４の発明＞
第４の発明は、第２の発明又は第３の発明に適用されるもので、本発明においては、モータハウジング及び取り付けフランジが金属製板材の成形加工品からなり、取り付けフランジのインロー凸部の周壁部は、その頂部で板材が折り返されることにより二重構造とされている。また取り付けフランジのインロー凸部の周壁部が二重構造とされることにより該インロー凸部の周壁部の内側に形成された隙間が液体ガスケットを溜める液溜め部となっている。【００３５】
上記のように、取り付けフランジを金属板の成形加工品として、取り付けフランジのインロー凸部の周壁部を二重構造にし、該インロー凸部の周壁部の内側に形成された隙間を液体ガスケットを溜める液溜め部にしておくと、取り付けフランジとモータハウジングの端部壁との間に液体ガスケットを介在させて、各接合スポットを加締めた際に、液体ガスケットがインロー凸部の周壁部よりも外側の領域に拡散するのを防ぐことができるため、インロー凸部の内側で取り付けフランジの主板部とモータハウジングの端部壁との間に施したシールが薄くなって、そのシール性能が低下するのを防ぐことができる。【００３６】
＜第５の発明＞
第５の発明は、第１の発明ないし第４の発明の何れかに適用されるもので、下記の構成を有している。
(5.1) 取り付けフランジの主板部は、その外縁が、モータハウジングの周壁部の周方向に沿って延び、該周壁部の径方向に相対する１対の円弧状部分と、該１対の円弧状部分の隣り合う端部から前記モータハウジングの周壁部の径方向の外側に突出して、前記１対の円弧状部分が相対する方向に対して直角な方向に相対する１対の突出部分とを有する輪郭形状を持つように形成されている。
(5.2) 取り付けフランジの側壁部の被固定部は、主板部の外縁の前記１対の円弧状部分に沿う部分に設定されている。
(5.3) 取り付けフランジの主板部の外縁の１対の突出部分の内側の部分が取り付けフランジの一対の耳部となっていて、取り付けフランジを前記回転軸が駆動する負荷に対して固定する締結具を貫通させるための取付け孔が前記耳部に形成されている。
【発明の効果】
【００３７】
本発明によれば、取り付けフランジを、モータハウジングの端部壁に接した状態で配置された主板部と、該主板部からモータハウジングと反対側に突出した円筒状のインロー凸部と、インロー凸部の内側で主板部を貫通した回転軸導出用開口部と、該主板部の外縁からモータハウジング側に突出した側壁部とを備えた構造として、取り付けフランジの主板部のインロー凸部と回転軸導出用開口部との間に位置する領域に、第１の接合スポットをモータハウジングの周方向に間隔をあけて複数個設定するとともに、取り付けフランジの側壁部の各被固定部に第２の接合スポットをモータハウジングの周方向に間隔をあけて複数個設定して、取り付けフランジの各第１の接合スポット及び各第２の接合スポットをそれぞれモータハウジングの端部壁及び周壁部にトックス加締めにより接合するようにしたので、取り付けフランジをモータハウジングに強固に固定することができる。また各接合スポットの接合は冷間で行われるため、取り付けフランジの各部が変形してモータの回転軸と負荷の入力軸との接続に支障を来す事態が生じるのを防ぐことができる。【００３８】
上記のように、本発明によれば、取り付けフランジとモータハウジングとの間の接続部の機械的強度の低下や取り付けフランジの各部の機械的精度の低下を招くおそれを生じさせることなく、モータハウジングと取り付けフランジを別体に構成することができる。従って本発明によれば、負荷のモータ取付部の構成が変更された場合には、取り付けフランジの仕様の変更のみを行えばよく、また負荷のモータ取付部の構成はそのままで、負荷が要求するモータの仕様のみが変更された場合には、モータハウジング側の構成のみを変更すれば済むため、モータハウジング及び取り付けフランジの部分の全体を設計し直す場合に比べてコストの低減を図ることができる。【００３９】
特に本願に開示された第２の発明又は第３の発明によれば、取り付けフランジのインロー部の周壁部よりも内側の領域でモータハウジングの端部壁と取り付けフランジとの間を液体ガスケットによりシールしたため、取り付けフランジの主板部の外周寄りの領域とモータハウジングの端部壁の外周寄りの領域との間から侵入した雨水などがインロー凸部の周壁部よりも内側の領域に侵入するのを防ぐことができ、雨水などが回転軸を伝わって負荷側に侵入して負荷を劣化させる事態が生じるのを防ぐことができる。
【図面の簡単な説明】
【００４０】
【図１】図１は、本発明に係る電動モータの一実施例の外観を示した斜視図である。
【図２】図２は、同電動モータの上面図である。
【図３】図３は、同電動モータの正面図である。
【図４】図４は、図２のＡ−Ａ線に沿った断面図である。
【図５】図５は本実施形態の電動モータで用いるモータハウジングを伏せた状態で示した斜視図である。
【図６】図６は、本実施形態の電動モータで用いるモータハウジングを、その開口部を上方に向けた状態で示した斜視図である。
【図７】図７は、本実施形態の電動モータで用いる取り付けフランジの上面図である。
【図８】図８は、本実施形態の電動モータで用いる取り付けフランジの正面図である。
【図９】図９は、本実施形態の電動モータで用いる取り付けフランジを図７のＢ−Ｂ線に沿って断面して示した断面図である。
【図１０】図１０は、同取り付けフランジの斜視図である。
【図１１】図１１は同取り付けフランジを裏返しにした状態を示した斜視図である。
【図１２】トックス加締めにより２枚の金属板の接合スポットを接合する方法を説明する説明図である。
【図１３】図４のＣ部を拡大して示した断面図である。
【図１４】図４のＤ部を拡大して示した断面図である。
【発明を実施するための形態】
【００４１】
以下本発明に係る電動モータの一実施形態について詳細に説明する。
図１ないし図４は、本実施形態に係る電動モータ１の全体的な構成を示したもので、これらの図において、２はモータハウジング、３はモータハウジング２内に収容されたモータ本体（図４参照）、４はモータ１を負荷に取り付けるために、モータハウジング２の軸線方向の一端に固定された取り付けフランジ、５は、モータハウジング２の軸線方向の他端に形成された開口部を閉じる蓋部材である。
【００４２】
図５及び図６に示されているように、モータハウジング２は、周壁部２００と該周壁部２００の軸線方向の一端を閉じる端部壁２０１とを有する円筒状の形状に形成されていて、端部壁２０１の中央部には、軸受を嵌合させて保持する円筒部を有する軸受保持部２０３が形成されている。図６に示されているように、モータハウジング２の軸線方向の他端は開口部２０４となっており、開口部２０４の外周部には、開口部２０４を閉じる蓋部材５を取り付ける際に用いる外フランジ２０５が形成されている。
【００４３】
図４に示されているように、モータ本体３は、環状のステータコア３０１と、ステータコア３０１のスロットに巻回された多相の電機子コイル３０２とを有して、中心軸線をモータハウジング２の中心軸線に一致させた状態でモータハウジング２の内側に挿入されたステータ３０３と、ロータコア３０４とロータコア３０４の外周に取り付けられた永久磁石３０５とを備えて、ステータ３０３の内側に該ステータと中心軸線を共有した状態で配置されたロータ３０６と、ロータ３０６の軸心部を貫通した状態で設けられた回転軸３０７とを備えている。
【００４４】
図示の例では、モータの特性を改善するために、界磁の構成を異ならせて軸線方向に並べて配置された２つの分割ロータ３０６Ａ及び３０６Ｂによりロータ３０６が構成されているが、本発明においてこのようなロータを用いることは必須ではない。
【００４５】
なお本実施形態の電動モータは、ロータの回転角度位置に応じてステータ側のコイルの励磁を切り換えることによりロータを回転させるブラシレスＤＣモータであるが、本発明はモータの形式の如何に関わりなく実施することができ、ブラシ付きのモータなどにも本発明を適用することができるのはもちろんである。
【００４６】
モータ本体３の回転軸３０７の軸線方向の一端３０７ａ側は、モータハウジング２の軸線方向の一端を閉じる端部壁２０１の中央に設けられた環状の軸受保持部２０３の内側に嵌合されて保持された第１の軸受６により回転自在に支持され、回転軸３０７の軸線方向の他端３０７ｂ側は、モータハウジング２の軸線方向の他端の開口部２０４を閉じるように取り付けられた蓋部材５の中央に設けられた環状の軸受保持部５０１の内側に保持された第２の軸受７により回転自在に支持されている。第１の軸受６及び第２の軸受７は、内輪と外輪との間にボールを保持した周知の球軸受けで、それぞれの外輪を軸受保持部２０３及び５０１の内側に圧入した状態で設けられている。
【００４７】
図７ないし図１１に示されているように、取り付けフランジ４は、モータハウジング２の端部壁２０１に接した状態で配置される平板状の主板部４０１と、主板部４０１からモータハウジング２と反対側に突出した状態で設けられて回転軸３０７が負荷の入力軸に連結される際に該負荷側に設けられたインロー凹部（図示せず。）に嵌合される円筒状のインロー凸部４０２と、回転軸３０７を外部に導出するためにインロー凸部４０２の内側で主板部４０１を貫通した回転軸導出用開口部４０３と、主板部４０１の外縁からモータハウジング２側に突出した側壁部４０４とを備えている。
【００４８】
図示の例では、モータハウジング２の端部壁２０１の中央部に設けられた軸受保持部２０３の外端部が回転軸導出用開口部４０３の内側に配置され（図４参照）、第１の軸受５の内輪に嵌合された回転軸３０７の一端３０７ａが回転軸導出用開口部４０３の中央部からインロー凸部４０２の内側に導出されている。インロー凸部４０２の内側に導出された回転軸３０７の一端３０７ａには、このモータが駆動する負荷（図示せず。）の入力軸を回転軸３０７に連結するために用いるカップリング８が取り付けられている。
【００４９】
本実施形態では、図７に示されているように、取り付けフランジ４の主板部４０１の外縁が、モータハウジング２の周壁部の周方向に沿って延びていて該周壁部の径方向に相対する１対の円弧状部分４０１ａ，４０１ｂと、これら１対の円弧状部分４０１ａ，４０１ｂの隣り合う端部からモータハウジングの周壁部の径方向の外側に山形に突出した形状を持って、１対の円弧状部分４０１ａ，４０１ｂが相対する方向に対して直角な方向に相対する１対の突出部分４０１ｃ，４０１ｄとを有する輪郭形状を持つように，主板部４０１が形成されている。
【００５０】
そして、取り付けフランジ４の側壁部４０４の各部のうち、主板部４０１の外縁の１対の円弧状部分４０１ａ，４０１ｂに沿う部分に側壁部４０４の被固定部４０４ａ，４０４ｂが設定され、これらの被固定部４０４ａ，４０４ｂの内周面がモータハウジング２の周壁部の外周面に外接されている。
【００５１】
また本実施形態では、取り付けフランジ４の主板部４０１の外縁の１対の突出部分４０１ｃ，４０１ｄの内側の部分が取り付けフランジ４の一対の耳部４ｃ、４ｄとなっていて、これらの耳部に、取り付けフランジ４を負荷に対して固定するために用いるボルト等の締結具を貫通させるための取付け孔４０５ｃ、４０５ｄが形成されている。
【００５２】
本実施形態では、モータハウジング２及び取り付けフランジ４が、金属製板材の成形加工品からなっている。金属製板材を成形加工する方法は任意であるが、本実施形態では、鋼板をプレス加工することにより、モータハウジング２及び取り付けフランジ４が形成されていて、図４及び図９に見られるように、取り付けフランジ４のインロー凸部４０２の周壁部４０２ａは、その頂部で鋼板が折り返されることにより二重構造とされている。
【００５３】
本実施形態では、取り付けフランジ４をモータハウジング２に固定するため、取り付けフランジ４の主板部４０１のインロー凸部４０２と回転軸導出用開口部４０３との間に形成された環状の領域に、複数の第１の接合スポットがモータハウジングの周壁部の周方向に間隔をあけて設定されるとともに、取り付けフランジ４の側壁部４０４の被固定部４０４ａ，４０４ｂのそれぞれに第２の接合スポットが、モータハウジングの周方向に間隔をあけて複数個設定される。本実施形態では、第２の接合スポットが、モータハウジング２の軸受保持部２０３よりも開口部２０４側に位置させて設けられる。
【００５４】
本実施形態では、図２に示されているように、インロー凸部４０２と回転軸導出用開口部４０３との間に形成された環状の領域に、６個の第１の接合スポットＳ11〜Ｓ16が、モータハウジングの周壁部の周方向に間隔をあけて設定されている。
【００５５】
また図１に示されているように、取り付けフランジ４の側壁部４０４の被固定部４０４ａに３個の第２の接合スポットＳ21〜Ｓ23がモータハウジングの周方向に間隔をあけて設定されている。また図示してないが、取り付けフランジ４の側壁部４０４の被固定部４０４ｂにも、３個の第２の接合スポットＳ21〜Ｓ23が、モータハウジングの周方向に間隔をあけて設定されている。
【００５６】
そして、第１の接合スポットＳ11〜Ｓ16のそれぞれがモータハウジング２の端部壁２０１にトックス加締めにより接合されるとともに、第２の接合スポットＳ21〜Ｓ22のそれぞれが、モータハウジング２の周壁部２００にトックス加締めにより接合されている。
【００５７】
トックス加締めは、図１２に示すように、重ね合わせた２枚の金属板Ｍ１、Ｍ２を雌型Ｄｆと雄型Ｄｍとの間に配置して、雄型Ｄｍの型部Ｄm1により、金属板Ｍ１、Ｍ２の一部（被接合部）を雌型Ｄｆの型穴Ｄf1内に押し込んで加締めることにより両金属板の接合スポットを冷間で接合する周知の接合方法である。この接合方法では、型Ｄｆ、Ｄｍの成形部の形状を工夫しておくことにより、例えば図１３に示されているように、雄型側の金属板Ｍ１の一部Ｍ1aを雌型側の金属板Ｍ２の一部に食い込ませるように変形させて、雄型側の金属板Ｍ１の一部と雌型側の金属板Ｍ２の一部とを噛み合わせた状態にするため、両金属板の各接合スポットＳを強固に接合することができる。
【００５８】
本実施形態のように、モータハウジング及び取り付けフランジに接合スポットを多数設定する場合には、雄型と雌型とを接合スポットの数だけ備えた加工機を用意しておいて、各接合スポットを対応する型により成形するようにすることにより、複数の接合スポットの接合を同時に行うことができ、取り付けフランジとモータハウジングとの接続を能率よく行うことができる。また本実施形態のように、第２の接合スポットをモータハウジングの軸受保持部２０３よりも開口部２０４側に設定しておくと、十分な大きさと強度とを有する型を備えた加工機をモータハウジング内に挿入することができるため、各接合スポットを十分な大きさとして各接合スポットの接合強度を確保することができるだけでなく、加工機の寿命を長くすることができる。
【００５９】
本発明に係る電動モータでは、負荷に取り付ける際に、取り付けフランジ４に設けられたインロー凸部４０２を利用して、モータの回転軸と負荷の入力軸との位置合わせを行うため、取り付けフランジ４をモータハウジングに接続する際に熱歪みによりインロー凸部４０２が変形すると、負荷へのモータの取付に支障を来すことになる。また取り付けフランジ４をモータハウジングに接続する際にモータハウジング２の端部壁２０１に設けられた軸受保持部２０３が熱歪みにより変形すると、モータの回転軸と負荷の入力軸との同軸性が保たれなくなるため、モータの取り付けに支障を来すことになる。従って、金属を接合する手段として、広く用いられているスポット溶接を採用する場合には、本実施形態のように、インロー凸部及びモータハウジングの軸受保持部に近接した位置に多数の接合スポットを設定することは困難である。
【００６０】
これに対し、本実施形態のように、トックス加締めにより各接合スポットを接合するようにすれば、インロー凸部４０２や軸受保持部２０３が熱歪みにより変形するおそれがないため、取り付けフランジ上の限られたスペースに必要な個数の接合スポットを設定して、十分な接合強度を持たせて取り付けフランジをモータハウジングに接合することができる。
【００６１】
モータが雨水に曝される環境で使用される場合には、モータ内に雨水が浸入するのを防ぐための措置を講じておく必要がある。例えば、電動パワーステアリングに用いる電動モータでは、モータ内に雨水が浸入すると、モータの回転軸を伝ってステアリング装置内に水が侵入して装置を劣化させるおそれがある。万一ステアリング装置が故障してステアリング操作のアシストを行うことができなくなると、運転に支障を来すことになる。従って、このような用途のモータでは、モータと負荷との接続部付近に水が侵入するのを防ぐための措置を講じておくことが特に重要である。
【００６２】
そこで本実施形態では、取り付けフランジ４の主板部４０１をモータハウジング２の端部壁２０１に接続した状態で、該主板部４０１とモータハウジングの端部壁２０１との間に液体ガスケットを介在させておくことにより、取り付けフランジ４の主板部４０１とモータハウジング２の端部壁２０１との間のシールを図る。
【００６３】
このように、液体ガスケットにより取り付けフランジ４とモータハウジング２の端部壁との間の接合部のシールを図る場合には、第１の接合スポットＳ11〜Ｓ16にトックス加締めを施す前に、モータハウジング２の端部壁２０１の各部のうち、取り付けフランジ４のインロー凸部２０１の周壁部４０２ａよりも内側に配置されることになる部分にシリコン系などの液状の液体ガスケット剤を塗布しておき、しかる後に第１の接合スポットＳ11〜Ｓ16に同時にトックス加締めを施す。第１の接合スポットＳ11〜Ｓ16に同時にトックス加締めを施すと、塗布された液体ガスケットが取付フランジ４の主板部４０１とモータハウジング２の端部壁との間の隙間に広がって、取り付けフランジ４とモータハウジング２の端部壁２０１との間の突き合わせ部のシールを構成する。
【００６４】
本実施形態においては、モータハウジング及び取り付けフランジが金属製板材の成形加工品からなっていて、取り付けフランジのインロー凸部の周壁部４０２ａが、その頂部で板材が折り返されることにより二重構造とされている。本実施形態では、図１４に示されているように、取り付けフランジ４のインロー凸部４０２の周壁部４０２ａが二重構造とされることにより該インロー凸部の周壁部４０２ａの内側に形成された隙間ｄが液体ガスケットＧを溜める液溜め部となっている。
【００６５】
上記のように、取り付けフランジ４のインロー凸部４０２の周壁部を二重構造にして、該インロー凸部４０２の周壁部の内側に形成された隙間を液体ガスケットを溜める液溜め部にしておくと、取り付けフランジ４とモータハウジングの端部壁２０１との間に液体ガスケットＧを介在させた状態で、第１の接合スポットＳ11〜Ｓ16を加締めた際に、液体ガスケットＧがインロー凸部４０２の周壁部４０２ａよりも外側の領域にまで拡散して液体ガスケットの厚みが薄くなるのを防ぐことができるため、インロー凸部４０２の内側で取り付けフランジ４の主板部４０１とモータハウジングの端部壁との間に施したシールの性能が低下するのを防ぐことができる。
【００６６】
本実施形態では、取り付けフランジ４の主板部４０１のインロー凸部４０２と回転軸導出用開口部４０３との間に位置する領域に複数設定した第１の接合スポットＳ11〜Ｓ16と、取り付けフランジ４の側壁部４０４の被固定部４０４ａ、４０４ｂに複数設定した第２の接合スポットＳ21〜Ｓ23との双方をトックス加締めにより接合している。このような構造にしておくと、モータの軸線方向に沿って取り付けフランジ４に作用する外力とモータの径方向に沿って取り付けフランジ４に作用する外力との双方に対して取り付けフランジの取り付け強度を高めることができるため、モータハウジングに取り付けフランジを一体に設けていた従来のモータと比べて遜色がない機械的強度を取り付けフランジ４とモータハウジング２との結合部に持たせることができ、取り付けフランジをモータハウジングと別体に設けたことによりモータの機械的強度に対する信頼性が低下するおそれを無くすことができる。また取り付けフランジ４とモータハウジング２との結合部の機械的強度が十分でないと、モータハウジング及び取り付けフランジの結合部付近で振動が生じ易くなるため、モータ駆動時に生じる騒音が大きくなるおそれがあるが、本実施形態のように構成しておくと、取り付けフランジ４とモータハウジング２との結合部の機械的強度を高めることができるため、モータハウジングと取り付けフランジとを別体に構成したことによりモータ駆動時に騒音が増加するのを防ぐことができる。
【００６７】
従って本発明によれば、モータハウジングと取り付けフランジを別体として、しかもモータハウジングと取付フランジとの結合部の機械的強度が高い取り付けフランジ付きのモータハウジングを得ることができる。このように構成しておくと、負荷のモータ取付部の構成が変更された場合には、取り付けフランジの仕様の変更のみを行えばよく、また負荷のモータ取付部の構成はそのままで、負荷が要求するモータの仕様のみが変更された場合には、モータハウジング側の構成のみを変更すればよいため、モータハウジング及び取り付けフランジの部分の全体を設計し直す場合に比べてコストの低減を図ることができる。
【符号の説明】
【００６８】
１  電動モータ
２  モータハウジング
２００  モータハウジングの周壁部
２０１  モータハウジングの端部壁
２０３  軸受保持部
２０４  モータハウジングの開口部
２０５  外フランジ
３  モータ本体
３０１  ステータコア
３０２  電機子コイル
３０３  ステータ
３０４  ロータコア
３０５  永久磁石
３０６  ロータ
３０７  回転軸
４  取り付けフランジ
４０１  取付フランジの主板部
４０１ａ，４０１ｂ  主板部の外縁の１対の円弧状部分
４０１ｃ、４０１ｄ  主板部の外縁の１対の突出部分
４０２  取付フランジのインロー凸部
４０３  取付フランジの回転軸導出用開口部
４０４  取付フランジの側壁部
４０４ａ，４０４ｂ  取付フランジの側壁部の被固定部
４０５ｃ，４０５ｄ  取り付け孔
４ｃ，４ｄ  取り付けフランジの耳部
５  蓋部材
Ｓ11〜Ｓ16 第１の接合スポット
Ｓ21〜Ｓ23  第２の接合スポット
【図１】
2020026314.tif 000003
【図２】
2020026314.tif 000004
【図３】
2020026314.tif 000005
【図４】
2020026314.tif 000006
【図５】
2020026314.tif 000007
【図６】
2020026314.tif 000008
【図７】
2020026314.tif 000009
【図８】
2020026314.tif 000010
【図９】
2020026314.tif 000011
【図１０】
2020026314.tif 000012
【図１１】
2020026314.tif 000013
【図１２】
2020026314.tif 000014
【図１３】
2020026314.tif 000015
【図１４】
2020026314.tif 000016
【国際調査報告】
2020026314.tif 000017
2020026314.tif 000018